(57)【特許請求の範囲】
【請求項１】
吸収体が内部に収容される外筒と、
前記外筒内に挿入されることにより、前記外筒内の前記吸収体を前記外筒外へ押し出す内筒と、を有し、
前記外筒の一端には、前記吸収体が押し出される開口が形成され、前記外筒の他端には、使用者が把持する把持部が形成されたタンポン用アプリケータであって、
前記外筒の前記把持部の外周面を覆うカバー部と、前記カバー部の外周面から前記外筒の径方向外側に向けて延出する鍔部と、を有する補助把持部材を備え、
前記鍔部の、使用者の膣口に対向する表面は、前記カバー部の外周面に対して斜めに傾いている、タンポン用アプリケータ。
【請求項２】
前記鍔部は、前記タンポン用アプリケータの膣内への挿入方向における前記補助把持部材の先端側に配置されている、請求項１に記載のタンポン用アプリケータ。
【請求項３】
前記タンポン用アプリケータの長手方向において、前記カバー部の長さは、前記把持部の長さよりも長い、請求項１又は請求項２に記載のタンポン用アプリケータ。
【請求項４】
前記カバー部の前記外周面には、前記カバー部の外周面から前記径方向外側に突出した突起部が形成されている、請求項１から請求項３のいずれかに記載のタンポン用アプリケータ。
【請求項５】
前記カバー部の前記外周面には、前記外周面から径方向内側に凹んだ凹み部が形成されている、請求項１から請求項４のいずれかに記載のタンポン用アプリケータ。
【請求項６】
前記補助把持部材の前記カバー部の剛性は、前記外筒の前記把持部の剛性よりも高い、請求項１から請求項５のいずれかに記載のタンポン用アプリケータ。
【発明の詳細な説明】
【技術分野】
【０００１】
本発明は、タンポン用アプリケータに関する。
【背景技術】
【０００２】
従来、アプリケータ付きの生理用タンポンが提供されている。タンポン用アプリケータは、外筒と内筒とを備えている。外筒の内部には、引き出し紐を有する吸収体が収納されている。使用者は、生理用タンポンを使用する際に、外筒を把持した状態で外筒を膣内に挿入した後、内筒を外筒に向けて押圧する。吸収体は、内筒が外筒に向けて押圧されると、外筒から押し出されて膣内に配置される。しかし、生理用タンポンを使用する際に、外筒を適切な深さまで挿入されていない状態で、使用者が吸収体を押し出すと、吸収体は、膣内の適切な位置に配置されない。
【０００３】
特許文献１には、このような問題に鑑みてなされたタンポン用アプリケータが記載されている。タンポン用アプリケータは、外筒の周囲に延出した鍔部を備えている。使用者は、生理用タンポンを使用する際に、鍔部を介して外筒を押圧して、膣内に外筒を挿入する。鍔部は、適切な深さまで外筒が挿入されると、膣口に当接する。したがって、使用者は、適切な深さまで外筒を挿入することができる。外筒を適切な深さまで挿入された状態で、使用者が吸収体を押し出すと、吸収体は、膣内の適切な位置に配置される。
【先行技術文献】
【特許文献】
【０００４】
【特許文献１】特許３２１７６１７号公報
【発明の概要】
【発明が解決しようとする課題】
【０００５】
しかしながら、出願人は、上述のタンポン用アプリケータについて、以下のような問題点を発見した。
【０００６】
特許文献１に記載のタンポン用アプリケータの鍔部は、厚み方向に貫通した穴部が形成されており、この穴部に外筒が挿入されている。この鍔部は、特許文献１の図１に示されているように、比較的薄い板状である。したがって、鍔部と外筒の外周面との接触面積が十分に確保できず、鍔部を外筒に対して安定した状態で装着できないおそれがあった。例えば、外筒を体内に挿入する際に鍔部の位置がずれてしまうと、適切な挿入角度を維持した状態で外筒を挿入できず、膣内の適切な位置に吸収体を配置できないおそれがあった。
【０００７】
そこで、本発明は、上述の課題に鑑みてなされたものであり、膣内の適切な位置に吸収体を容易に配置できるタンポン用アプリケータを提供することを目的とする。
【課題を解決するための手段】
【０００８】
上述した課題を解決するため、本発明に係るタンポン用アプリケータ（タンポン用アプリケータ１）は、吸収体が内部に収容される外筒（外筒２）と、前記外筒内に挿入されることにより、前記外筒内の前記吸収体（吸収体４）を前記外筒外へ押し出す内筒（内筒３）と、を有し、前記外筒の一端には、前記吸収体が押し出される開口（開口８）が形成され、前記外筒の他端には、使用者が把持する把持部（把持部７）が形成されたタンポン用アプリケータであって、前記外筒の前記把持部の外周面を覆うカバー部（カバー部１１）と、前記カバー部の外周面（外周面１１ａ）から前記外筒の径方向外側に向けて延出する鍔部（鍔部１２）と、を有する補助把持部材（補助把持部材１０）を備えることを要旨とする。
【発明の効果】
【０００９】
本発明に係る補助把持部材は、外筒の把持部を覆うカバー部と鍔部とを備えており、使用者は、カバー部や鍔部を把持してタンポン用アプリケータを使用することができる。
【００１０】
鍔部は、外筒の外周面を覆うカバー部の外周面から径方向外側に向けて延出しているため、鍔部のみが把持部に装着される場合と比較して、外筒の把持部に対する位置が安定される。よって、鍔部や把持部と外筒との位置ずれを抑制でき、鍔部や把持部を適切な角度で維持した状態で体内に外筒を挿入し、膣内の適切な位置に吸収体を配置することができる。
【図面の簡単な説明】
【００１１】
【図１】本発明の第１の実施形態に係るタンポン用アプリケータの斜視図である。
【図２】図１に示すタンポン用アプリケータの平面図である。
【図３】第１の実施形態に係る補助把持部材を示す図である。（ａ）は、正面図であり、（ｂ）は、側面図である。
【図４】図１に示すタンポン用アプリケータの使用態様を示す模式正面図である。
【図５】第２の実施形態に係る補助把持部材を示す図である。
【図６】第３の実施形態に係る補助把持部材を示す図である。
【図７】第４の実施形態に係る補助把持部材を示す図である。
【図８】第５の実施形態に係る補助把持部材を示す図である。
【発明を実施するための形態】
【００１２】
（第１の実施形態）
図１及び図２を参照して、本発明の第１の実施形態に係るタンポン用アプリケータについて説明する。図１は、第１の実施形態に係るタンポン用アプリケータの全体を示す斜視図、図２は、図１に示すタンポン用アプリケータの平面図である。
【００１３】
タンポン用アプリケータ１は、外筒２と内筒３とを有している。外筒２及び内筒３は、内部に中空部を有する筒形状である。外筒２と内筒３の断面形状は、正円形である。外筒２及び内筒３は、ポリエチレン、ポリプロピレン等のポリオレフィン系樹脂、または表面をポリオレフィンフィルムでラミネートした厚紙によって全体が形成されている。
【００１４】
本実施の形態では、外筒２及び内筒３は、ポリエチレンやポリプロピレンと、顔料１％以上と、滑材１％以上とが混ぜ合わされて射出成型によって、個別に成型されている。なお、本実施の形態に係る外筒２及び内筒３の断面形状は、正円形であるが、外筒２及び内筒３の断面形状は、膣内に挿入し易い形状であればよく、例えば、楕円形であってもよい。
【００１５】
外筒２の内部には、タンポンとしての吸収体４が収容されている。吸収体４には、取り出し紐４ａが連結されている。取り出し紐４ａは、吸収体４の端部から内筒３の内部を挿通し、その挿通端部が内筒３から抜き出されている。使用中に取り出し紐４ａを引くことにより、吸収体４を体内から引き出すことができる。
【００１６】
外筒２の一端には、吸収体４が押し出される開口８が設けられている。開口８には、吸収体４が押し出される際に径方向外側に向けて変形する花弁体８ａが形成されている。花弁体８ａは、９０°毎に分割された４つの分割片で形成されている。花弁体８ａは、常時、開口８の縁部で閉となっているが、内筒３によって吸収体４が押し出されるときに吸収体４によって押し広げられて開口する。これにより、吸収体４が外筒２から押し出され、吸収体４を体内に挿入することができる。
【００１７】
外筒２の他端には、外筒２及び内筒３の移動操作の際に指によって把持される把持部７が設けられている。把持部７の外径Ｄ５は、開口８と把持部７との間における外筒本体９の外径Ｄ４よりも小径である。把持部７には内筒３の先端部分が挿入されており、挿入された内筒３の先端面は吸収体４に臨んでいる。外筒本体９の把持部７側の端部は、把持部７と略等しい径に絞られており、その外端には、突起部５が形成されている。
【００１８】
突起部５は、後述する補助把持部材１０と当接し、補助把持部材１０を開口８側に移動させないように補助把持部材１０の移動を規制する。なお、本実施の形態では、補助把持部材１０が外筒２の突起部５と当接して、補助把持部材１０の移動が規制されるように構成されているが、補助把持部材１０が外筒２の外周面に当接して、補助把持部材１０の移動が規制されるように構成されていてもよい。
【００１９】
把持部７には、外筒２の把持部の外周に沿って配置された補助把持部材１０が装着されている。図３は、補助把持部材１０を示した図である。図３（Ａ）は、正面図であり、（Ｂ）は、（Ａ）の左側面図である。
【００２０】
補助把持部材１０は、把持部７の外周面７ａを覆うカバー部１１と、カバー部１１の外周面１１ａから外筒２の径方向（図１に示すＸ方向及びＺ方向）外側に向けて延出する鍔部１２と、が一体化されている。
【００２１】
補助把持部材１０には、把持部７が挿入される穴部１０ａが形成されている。穴部１０ａの内径Ｄ１は、突起部５の外径Ｄ２よりも小さい。補助把持部材１０のうち、タンポン用アプリケータの挿入方向における先端に位置する鍔部１２の表面１２ａは、突起部５に当接している。タンポン用アプリケータの挿入方向は、タンポン用アプリケータの長手方向（図２に示すＹ方向）に沿って配置されている。
【００２２】
鍔部１２の表面１２ａと突起部５とが当接することによって、補助把持部材１０の挿入方向の先端側（外筒２の開口８側）への移動が規制される。
【００２３】
なお、穴部１０ａの内径Ｄ１は、把持部７の外径よりも大径又は把持部７の外径と同じ径であればよい。補助把持部材１０は、把持部７の周方向及び軸方向に対して移動可能である。
【００２４】
本実施形態のタンポン用アプリケータ１は、補助把持部材１０の内径Ｄ１が１１．６ｍｍであり、外筒本体９の外径Ｄ４が１３．４ｍｍであり、把持部７の外径Ｄ３が１０ｍｍであり、突起部５の外径Ｄ２が１３．４ｍｍである。カバー部の外径Ｄ５が１３．２ｍｍである。
【００２５】
開口８側の外筒２の端部から補助把持部材１０までの長手方向Ｙにおける長さＬ１は５３．０５ｍｍであり、補助把持部材１０の長手方向Ｙにおける長さＬ２は１６ｍｍである。
【００２６】
カバー部１１は、円筒状である。図３（Ａ）に示す補助把持部材の正面視における鍔部１２の形状は、四隅が曲線状の矩形である。鍔部１２の四隅は、半径Ｒ＝７．５ｍｍの円弧形状である。図３（Ａ）に示す鍔部１２の幅Ｗ１は、１６ｍｍであり、鍔部１２の高さＨ１は、３２ｍｍである。鍔部１２の高さに対する幅の比率は、０．４１である。鍔部の高さＨ１は、少なくともカバー部１１の外径Ｄ５よりも長く構成されていればよい。
【００２７】
把持部７の長手方向Ｙにおける長さＬ４は、カバー部１１の長手方向における長さＬ３以下である。本実施の形態におけるカバー部の長さＬ３は、１５．２ｍｍであり、把持部の長さＬ４は、１３．５ｍｍである。なお、カバー部１１の長さは、使用者が指で把持できる長さであればよく、具体的には、５ｍｍ〜２０ｍｍ程度が好ましい。また、鍔部１２の長手方向Ｙにおける長さＬ５（鍔部１２の厚み）は、０．８ｍｍである。
【００２８】
カバー部１１の長さＬ３を把持部７の長さＬ４よりも長く構成することにより、補助把持部材１０を装着した際に使用者が把持することが可能な面積を大きくすることができる。よって、体内にタンポン用アプリケータを挿入する際に、使用者がしっかりと把持部を持つことができ、安定した状態でタンポン用アプリケータを挿入することができる。
【００２９】
補助把持部材１０は、ポリオレフィン系樹脂、エラストマー、紙、その他の材料に構成される。本実施の形態に係る補助把持部材１０は、ポリエチレンやポリプロピレン樹脂によって形成されている。
【００３０】
次いで、このように構成されたタンポン用アプリケータの使用態様について説明する。図４は、タンポン用アプリケータの使用態様を示す模式断面図である。使用者は、外筒２の先端を膣口１００に当接させた状態で、外筒を膣内１０１に挿入する方向に補助把持部材１０を押圧する。補助把持部材１０の鍔部１２の表面１２ａが外筒２の突起部５に当接しているため、補助把持部材１０は、外筒２に対する開口側への移動が規制される。よって、使用者が補助把持部材１０を膣内１０１に向けて押すことにより、外筒２が膣内に挿入される。
【００３１】
鍔部１２は、タンポン用アプリケータ１の膣内１０１への挿入方向（図４に示すＰ）における補助把持部材１０の先端側に配置されているため、外筒２を適切な位置まで挿入した状態で、鍔部１２の表面１２ａは、膣口近傍に配置される。この状態で更に外筒２を挿入しようとしても、使用者の身体に鍔部１２が当接する。すなわち、鍔部１２は、ストッパーとしての機能を発揮し、使用者は、適切な位置まで外筒２を挿入できたことを把握することができる。
【００３２】
また、外筒２を適切な位置まで挿入した状態において、膣口１００と指との間には、鍔部１２が配置される。このとき、カバー部１１の外径Ｄ５よりも鍔部１２の幅Ｗ１が長いため、補助把持部材１０を持つ指と膣口１００との間に鍔部１２が配置され、経血等の体液によって使用者の指が汚れることを防ぐことができる。
【００３３】
次いで、使用者は、膣内１０１の所定の位置まで外筒２を挿入した後、内筒３を外筒２の開口８側に向けて押圧することにより、外筒２の開口８から吸収体４が押し出され、吸収体４が膣内の適切な位置に配置される。このように、鍔部１２を備えることにより、使用者の指が膣口付近に触れることなく、適切な位置に容易に吸収体４を配置することができる。吸収体４を適切な位置に配置することにより、使用者は、使用時の違和感が少なくなり、タンポンの使用を快適に感じることができる。
【００３４】
補助把持部材１０は、把持部７の外周面７ａを覆うカバー部１１を備えており、このカバー部１１と鍔部１２とが一体化しているため、外筒２の把持部７に対する補助把持部材１０の角度を一定に維持し易くなる。よって、鍔部１２や把持部７を適切な角度で維持した状態で体内に外筒２を挿入し、膣内の適切な位置に吸収体４を配置することができる。
【００３５】
また、補助把持部材１０は、把持部７に対して回転可能であるため、補助把持部材１０を把持した状態で外筒２を体内に挿入する際に、補助把持部材１０を外筒２に対して回転させて、適切な角度を維持しつつ外筒２を体内に挿入することができる。
【００３６】
具体的には、外筒２の先端である開口８が膣口に当接した状態と、外筒２が膣内に挿入されて鍔部１２が膣口１００に当接した状態とでは、タンポン用アプリケータ１を持つ手の角度や位置が変化する。このとき、外筒２に対して補助把持部材１０を回転させることにより、タンポン用アプリケータ１に対する手の位置や角度の変化に追従させて、鍔部１２と外筒２との相対角度を変えることができる。よって、タンポン用アプリケータ１を持つ手の角度や位置が変化した場合であっても、使用者は、タンポン用アプリケータに対して適切に力を加えて、スムーズに挿入することができる。
【００３７】
本実施の形態における補助把持部材１０は、金型を用いて熱可塑性樹脂を射出成形したものである。補助把持部材１０は、射出成形する際に、外筒２と同時に成形されてもよいし、別々で成形され、製造工程中に一体形成工程を通り、嵌合されるように構成してもよい。また、補助把持部材１０は、外筒２に対して着脱自在に構成され、使用前に使用者が嵌合するように構成されていてもよい。
【００３８】
補助把持部材１０のカバー部１１の剛性は、外筒２の把持部７の剛性よりも高く構成されていることが望ましい。例えば、カバー部１１の剛性が低いと、使用者が把持した際にカバー部１１が変形して外筒２を内側に押圧して外筒２と内筒３との隙間が少なくなり、内筒３をスムーズに押し出すことができないことがある。しかし、補助把持部材１０のカバー部１１の剛性が外筒２の把持部７の剛性よりも高いことにより、外筒２の把持部７の変形を防ぐことができ、内筒３をスムーズに押出しやすくなる。
【００３９】
なお、補助把持部材１０のカバー部１１の剛性が外筒の把持部の剛性よりも高い構成として、例えば、補助把持部材１０のカバー部の素材が、把持部の素材よりも硬い素材とする構成や、補助把持部材１０のカバー部１１の厚みを把持部の厚みよりも厚くする構成を例示できる。
【００４０】
（第２の実施形態）
次いで、図５に基づいて第２の実施形態に係る補助把持部材４０について説明する。なお、以下の実施形態の説明においては、第１の実施形態と異なる構成のみ説明し、第１の実施形態と同様の構成については、同符号を用いて説明を省略する。
【００４１】
第２の実施形態に係る補助把持部材４０は、カバー部４１と、鍔部４２とを有する。カバー部４１の外周面４１ａには、カバー部の外周面から径方向外側に突出した突出部４４が形成されている。
【００４２】
カバー部の外周面に突出部４４が形成されているため、使用者がカバー部を把持した際に指が突出部４４に当たり、指が滑りにくくなる。よって、鍔部や把持部を適切な角度で維持した状態で体内に外筒を挿入し、膣内の適切な位置に吸収体を配置することができる。
【００４３】
突出部４４の形状は、図５（Ａ）に示すように、筒状のカバー部の周方向に沿って周方向に連続した輪形状であってもよいし、図５（Ｂ）に示すように、筒状のカバー部の周方向に沿って、周方向に連続しない円弧形状であってもよいし、図５（Ｃ）に示すように、間欠的に配置された点形状であってもよい。
【００４４】
突出部４４の成型方法は、金型射出、レーザー成型、熱成型その他の方法であってもよい。突出部４４の形状は、一文字形、シンメトリー形、ドット形、ひし形、ハート形等を例示することができる。突出部のカバー部の外周面に対する高さは、１ｍｍ以上であることが好ましく、図５（Ａ）に示すように、カバー部４１の全周に亘って形成することが望ましい。
【００４５】
（第３の実施形態）
次いで、図６に基づいて、第３の実施形態に係る補助把持部材５０について説明する。図６（Ａ）及び（Ｃ）は、第３の実施形態に係る補助把持部材５０の正面図であり、図６（Ｂ）は、図６（Ａ）のＢ−Ｂ断面の断面図であり、図６（Ｄ）は、図６（Ｃ）のＣ−Ｃ断面の断面図である。
【００４６】
第３の実施形態に係る補助把持部材５０は、カバー部５１と、鍔部５２とを有する。カバー部５１の外周面５１ａには、カバー部の外周面から径方向内側に凹んだ凹み部５４が形成されている。
【００４７】
カバー部の外周面に凹み部５４が形成されているため、使用者がカバー部を把持する際に指を凹み部に沿わせて配置することができ、指が滑りにくくなる。なお、長手方向における凹み部５４の長さＬ６は、指を配置できる長さとすることができ、具体的には、３ｍｍ〜５ｍｍが好ましい。
【００４８】
凹み部５４は、図６（Ａ）及び（Ｂ）に示すように、カバー部の外周面に沿って２つ形成されていてもよいし、図６（Ｃ）及び（Ｄ）に示すように、カバー部の外周面に沿って４つ形成されていてもよい。
【００４９】
（第４の実施形態）
次いで、図７に基づいて、第４の実施形態に係る補助把持部材６０について説明する。図７（Ａ）及び（Ｂ）は、第４の実施形態に係る補助把持部材６０の側面図であり、図７（Ｃ）は、図７（Ｂ）に示す補助把持部材６０の使用態様を模式的に示した図である。
【００５０】
第４の実施形態に係る補助把持部材６０は、カバー部６１と、鍔部６２とを有する。タンポン用アプリケータの挿入方向におけるカバー部６１の末端部６１ｃには、末端部６１ｃから挿入方向における先端部側に向かって窪む窪み部６４が形成されている。
【００５１】
カバー部の末端部に少なくとも１つ以上の窪み部６４が形成されていることにより、カバー部の末端部の位置よりも内側に向かって内筒を押し込むことができる。
【００５２】
また、図７（Ｃ）は、挿入方向における内筒３の先端が外筒２の内周面に当接した状態を示している。この状態において、内筒３の先端から補助把持部材６０の窪み部６４までの長さＬ７は、内筒の長手方向の長さＬ８よりも短い。
【００５３】
内筒３の先端から補助把持部材６０の窪み部６４までの長さＬ７が、内筒の長手方向の長さＬ８よりも短いため、カバー部の面積を広く確保するために、カバー部の長手方向の長さを長く構成した場合であっても、外筒内部に内筒全体を押し込むことができ、内筒によって吸収体を適切に押し出すことができる。
【００５４】
（第５の実施形態）
次いで、図８に基づいて、第５の実施形態に係る補助把持部材７０について説明する。図８（Ａ）は、第５の実施形態に係る補助把持部材７０の側面図であり、図８（Ｂ）は、補助把持部材７０の使用態様を模式的に示した図である。
【００５５】
第５の実施形態に係る補助把持部材７０は、カバー部７１と、鍔部７２とを有する。第１の実施形態に係る補助把持部材１０の鍔部１２の表面１２ａは、カバー部１１の外周面に対して略垂直に配置されている。これに対して、第５の実施形態の鍔部７２の表面７２ａは、カバー部７１の外周面に対して垂直ではなく、斜めに配置されている。
【００５６】
また、第１の実施形態の鍔部１２は、カバー部１１の挿入方向における先端に配置されているが、第５の実施形態の鍔部７２は、カバー部７１の先端よりも挿入方向における後方に配置されている。外筒２の径方向における外側となる鍔部７２の外周縁の一部分７２Ｓは、カバー部７１の先端よりも後方に配置されているが、鍔部７２の外周縁の他の部分７２Ｔは、カバー部７１の先端よりも前方に配置されている。
【００５７】
図８（Ｂ）に、補助把持部材７０を外筒２に装着した状態のタンポンアプリケータ１の使用態様を示す。使用者が立っている状態では、使用者の膣口は、一般的に、膣の軸方向と略垂直に配置される。よって、第１の実施形態のように、外筒２の外周面に対して略垂直に鍔部１２が配置されたタンポン用アプリケータを用いて外筒の軸方向を鉛直に配置することにより、鍔部１２の表面を膣口に対向させて配置することができる。
【００５８】
しかし、使用者が座っている状態では、使用者の膣口は、一般的に、膣の軸方向に対して斜めに配置される。このとき、第１の実施形態のように、外筒の外周面に対して略垂直に鍔部が配置されたタンポン用アプリケータを用いると、外筒２を適切な位置まで挿入した際に、鍔部の表面が膣口に対向して配置されず、鍔部の表面と膣口と隙間が生じすることがある。しかし、第５の実施形態に係るタンポンアプリケータを用いることにより、適切な位置までタンポンアプリケータを挿入した際に、図８（ｂ）に示すように、鍔部７２の表面全体が膣口に当接するように構成でき、使用者は、適切な位置まで挿入したことを把握することができる。
【００５９】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【００６０】
例えば、補助把持部材の鍔部は、平面視において矩形以外の外形であってもよく、長方形、三角形等の多角形であってもよいし、ハート形や星形やリンゴ形であってもよいし、楕円形であってもよいし、ティアドロップ型であってもよいし、動物の頭の形状や、蝶等昆虫の形状であってもよい。例えば、鍔部の外形をハート形や動物の頭の形状等にすることにより、医療用具的なタンポンを鍔部によって可愛らしく装飾することができる。よって、使用者の生理の憂鬱な気分を和らげることができ、次回の使用意欲を向上させることができる。
【００６１】
また、鍔部に色を付すことにより、装飾効果を更に高めることができる。鍔部に付す色は、特に限定されないが、例えば、ハート形の鍔部には赤やピンク色、熊の頭の形状の鍔部には茶色を付すことができる。更に、鍔部を着色することにより、鍔部を目立たせることができ、特にトイレ等の薄暗い場所での取り扱いが容易になる。
【００６２】
また、鍔部の外周形状は、曲線形状が望ましい。なお、曲線形状とは、尖った角部を有しない構成であればよく、直線形状を一部に含んでいてもよい。鍔部の外周形状が曲線形状であることにより、使用者が鍔部を把持した際の感触を和らげることができる。
【００６３】
また、補助把持部材の鍔部は、挿入方向におけるカバー部の先端に配置されていなくてもよく、カバー部の先端よりも後方に配置されていてもよい。なお、鍔部がカバー部の先端よりも後方に配置されている構成にあっては、カバー部の先端が外筒の外周面や突起部に当接して、補助把持部材の先端側への移動が規制されるように構成される。
【符号の説明】
【００６４】
１…タンポン用アプリケータ、  ２…外筒、  ２ａ…外周面、  ３…内筒、  ４…吸収体、  ４ａ…取り出し紐、  ５…突起部、  ７…把持部、  ７ａ…外周面、  ８…開口、  ８ａ…花弁体、  ９…外筒本体、  １０、２０、３０、４０、５０、６０…補助把持部材、  １０ａ、２０ａ、３０ａ、…穴部  １１、２１，３１、４１、５１、６１…カバー部、  １１ａ、２１ａ、３１ａ、４１ａ、５１ａ、６１ａ…外周面、  １２、２２、３２、４２、５２、６２…鍔部、  ２３、３３…第１凹凸部、  ２４、３４…第２凹凸部、  ５４…凹み部、  ６４…窪み部、  １００…膣口、  １０１…膣内
【図１】
0005996170.tif 000002
【図２】
0005996170.tif 000003
【図３】
0005996170.tif 000004
【図４】
0005996170.tif 000005
【図５】
0005996170.tif 000006
【図６】
0005996170.tif 000007
【図７】
0005996170.tif 000008
【図８】
0005996170.tif 000009